(57)【要約】【課題】  部品の発注を容易に行うことのできる部品の管理方法を提供することである。【解決手段】  装置を構成する複数の部品の管理方法であって、個々の部品の重量と部品番号と形状とを少なくとも含む部品情報で部品データベースを作成する工程と、発注すべき部品の重量を計測する重量計測工程と、該重量計測工程で計測した重量を情報端末の入力手段から入力し、該部品データベースにアクセスする重量入力工程と、入力された重量と近似する所定の許容範囲内にある重量を有する全ての部品情報を該部品データベースから抽出し、該情報端末の表示手段に表示する抽出部品情報表示工程と、該表示手段に表示された部品の形状から発注すべき部品番号を特定する部品番号特定工程と、該部品番号特定工程で特定した部品番号の部品を発注する発注工程と、を具備したことを特徴とする。【選択図】図５
2012043112.tif 000002
【特許請求の範囲】
【請求項１】
装置を構成する複数の部品の管理方法であって、
個々の部品の重量と部品番号と形状とを少なくとも含む部品情報で部品データベースを作成する工程と、
発注すべき部品の重量を計測する重量計測工程と、
該重量計測工程で計測した重量を情報端末の入力手段から入力し、該部品データベースにアクセスする重量入力工程と、
入力された重量と近似する所定の許容範囲内にある重量を有する全ての部品情報を該部品データベースから抽出し、該情報端末の表示手段に表示する抽出部品情報表示工程と、
該表示手段に表示された部品の形状から発注すべき部品番号を特定する部品番号特定工程と、
該部品番号特定工程で特定した部品番号の部品を発注する発注工程と、
を具備したことを特徴とする部品の管理方法。
【請求項２】
該発注工程はインターネットを介して該部品データベースにアクセスして実行する請求項１記載の部品の管理方法。
【発明の詳細な説明】
【技術分野】
【０００１】
本発明は、発注すべき部品を管理する部品の管理方法に関する。
【背景技術】
【０００２】
ＩＣ，ＬＳＩ等のデバイスが分割予定ラインによって区画された領域に形成された半導体デバイスは、研削装置によって裏面が研削されて所定の厚みに加工された後、ダイシング装置等の分割装置によって個々のデバイスに分割され、分割されたデバイスは携帯電話、パソコン等の電気機器に広く利用される。
【０００３】
研削装置は、ウエーハを保持するチャックテーブルと、該チャックテーブルに保持されたウエーハを研削する研削ホイールを有する研削ユニットと、複数のウエーハを収容したカセットが載置されるカセット載置領域と、カセット載置領域に載置されたカセットからウエーハを搬出するウエーハ搬出機構と、ウエーハを仮置きして位置決めする仮置きテーブルと、仮置きテーブルからウエーハをチャックテーブルに搬入するウエーハ搬入機構と、ウエーハの厚みを検出する厚み検出機構と、研削済みのウエーハをチャックテーブルから搬出するウエーハ搬出機構と、搬出されたウエーハを洗浄するスピンナ洗浄機構等の数多くの機構部を備えていて、各機構部は複数の部品（ボルト、ナット、ブラケットを含む）から構成されている（例えば、特開２００５−１５３０９０号公報参照）。
【０００４】
同様にダイシング装置も、ウエーハを保持するチャックテーブルと、ウエーハを搬送する搬送機構と、ウエーハを切削する切削ブレードを有する切削ユニット、切削されたウエーハを洗浄するスピンナ洗浄装置等の機構部を備えていて、各機構部は複数の部品によって構成されている（例えば、特開２００６−１５６８０９号公報参照）。
【先行技術文献】
【特許文献】
【０００５】
【特許文献１】特開２００５−１５３０９０号公報
【特許文献２】特開２００６−１５６８０９号公報
【発明の概要】
【発明が解決しようとする課題】
【０００６】
しかし、研削装置、ダイシング装置等の加工装置を構成する各機構部の部品が故障した場合は、加工装置のメーカー等から同一部品を取り寄せて交換しなければならないが、部品の品番を特定することが困難であり、部品の発注に手間が掛かり加工装置の使用が制限されて生産性が悪いという問題がある。
【０００７】
本発明はこのような点に鑑みてなされたものであり、その目的とするところは、必要とする部品の発注が容易にできる部品の管理方法を提供することである。
【課題を解決するための手段】
【０００８】
本発明によると、装置を構成する複数の部品の管理方法であって、個々の部品の重量と部品番号と形状とを少なくとも含む部品情報で部品データベースを作成する工程と、発注すべき部品の重量を計測する重量計測工程と、該重量計測工程で計測した重量を情報端末の入力手段から入力し、該部品データベースにアクセスする重量入力工程と、入力された重量と近似する所定の許容範囲内にある重量を有する全ての部品情報を該部品データベースから抽出し、該情報端末の表示手段に表示する抽出部品情報表示工程と、該表示手段に表示された部品の形状から発注すべき部品番号を特定する部品番号特定工程と、該部品番号特定工程で特定した部品番号の部品を発注する発注工程と、を具備したことを特徴とする部品の管理方法が提供される。
【発明の効果】
【０００９】
本発明によると、部品の重さによって部品データベースを作成し、重さを情報端末の入力手段から入力して部品データベースにアクセスすることで、同一範囲の重さに区分された全ての部品が形状とともに情報端末の表示手段に表示され、発注者が形状を照合することで発注すべき部品番号を容易に特定してメーカー等に部品を発注できるので、従来問題であった部品の発注に手間がかかり加工装置の使用が制限されて生産性が悪いという問題を解消できる。
【図面の簡単な説明】
【００１０】
【図１】本発明の部品の管理方法のシステム構成図である。
【図２】部品情報テーブルの一例を示す図である。
【図３】重量計測工程を示す図である。
【図４】重量入力工程を説明する図である。
【図５】抽出部品情報表示工程を示す図である。
【発明を実施するための形態】
【００１１】
以下、本発明の実施形態を図面を参照して詳細に説明する。図１を参照すると、本発明実施形態にかかる部品の管理方法のシステム構成図が示されている。このシステムでは、加工装置のメーカー等の部品供給者１２のサーバーシステム１４と、加工装置のユーザーの工場等に設置されたクライアントコンピュータ１８ａ，１８ｂ，１８ｃ…１８ｎがインターネット１０を介して接続されている。
【００１２】
図１に示した実施形態では、サーバーシステム１４が部品供給者１２の会社内に設置されているが、本発明はこれに限定されるものではなく、契約したインターネットサービスプロバイダのサーバーをサーバーシステム１４として使用し、このサーバーシステム１４にホームページをアップロードするようにしてもよい。
【００１３】
本発明の部品の管理方法では、図２に示すような個々の部品の重量と部品番号と形状とを少なくとも含む部品情報テーブル２０を作成し、この部品情報テーブル２０をサーバーシステム１４のメモリに入力して部品データベース１６を作成する。図２に示した部品情報テーブル２０は、個々の部品の重量、部品番号及び形状の他に、製品情報、名称を含んでいる。
【００１４】
加工装置のユーザーは機構部が故障した場合、故障の原因となった部品を取り外して、図３に示すように、重量測定器（計り）２２で故障した部品（即ち発注すべき部品）２４の重量を計測する。計測の結果、発注すべき部品２４の重量が例えば２００ｇであったとする。
【００１５】
発注すべき部品の重量が判明すると、加工装置のユーザーは、図４に示すように、クライアントコンピュータ１８ａのキーボード２６等の入力手段から発注すべき部品の重量を入力し、インターネット１０を介してサーバーシステム１４の部品データベース１６にアクセスする。
【００１６】
サーバーシステム１４は、入力された重量と近似する所定の許容範囲内にある重量を有する全ての部品情報を部品データベース１６から抽出し、この抽出された図５に示すような抽出部品情報テーブル２８をインターネット１０を介してクライアントコンピュータ１８ａの表示手段上に表示する。
【００１７】
即ち、抽出された部品情報テーブル２８は重さが２００ｇ近辺の全ての部品情報を含んでいる。よって、加工装置のユーザーは表示手段上に表示された部品の形状が故障した部品の形状と同一の形状であるＨを選択し、発注すべき部品番号をＢ０００６と特定する。よって、加工装置のユーザー（発注者）は、部品番号Ｂ０００６をクリックすることにより、必要とする部品を発注することができる。
【００１８】
上述した実施形態によると、個々の部品の重量と部品番号と形状とを少なくとも含む部品情報で部品データベース１６を作成し、必要とする部品の重さを入力手段から入力して部品データベース１６にアクセスすることで、同一範囲内の重さに区分された全ての部品が形状とともに表示手段に表示され、発注者が形状を照合することで発注すべき部品番号を容易に特定して、メーカー等に必要とする部品を発注できるので、従来のように部品の発注に手間がかかり加工装置の使用が制限されて生産性が悪化するという問題を解消することができる。
【符号の説明】
【００１９】
１４    サーバーシステム
１６    部品データベース
１８ａ，１８ｂ，１８ｃ，１８ｎ    クライアントコンピュータ
２０    部品情報テーブル
２２    重量測定器（計り）
２８    抽出部品情報テーブル
【図１】
2012043112.tif 000003
【図２】
2012043112.tif 000004
【図３】
2012043112.tif 000005
【図４】
2012043112.tif 000006
【図５】
2012043112.tif 000007